(57)【特許請求の範囲】
【請求項１】
インクリボン上のインクを、サーマルヘッドにより記録紙に熱転写する方式の印字部の下流側に、切替え部材により、選択可能な２つに分岐された記録紙搬送通路を設けるとともに、一方の記録紙搬送通路が、略水平なフレームとトレイ状の受け部材により形成された記録紙排出通路を経て記録紙排出口に通じ、もう一方の記録紙搬送通路が、前記トレイ状の受け部材と記録紙用カセットの蓋とにより形成された一時ストック部に通じており、且つ、前記一時ストック部に入った記録紙を、再度、印字部方向に搬送させる記録紙反転部材を設けたことを特徴とするファクシミリ装置。
【請求項２】
２つに分岐された記録紙搬送通路、一時ストック部及び記録紙用カセットを、この順で上下に、接近して配置したことを特徴とする請求項１に記載のファクシミリ装置。
【請求項３】
記録紙反転部材が、記録紙が通過可能な間隙が形成された待機位置と記録紙を挟持する作動位置とに切替可能であることを特徴とする請求項１又は請求項２に記載のファクシミリ装置。
【発明の詳細な説明】
【０００１】
【発明の属する技術分野】
本発明は、ファクシミリ装置に関するものである。
【０００２】
【従来の技術】
従来、受信原稿やコピー原稿が、用紙の片面に記録されて排出される形式のファクシミリ装置が知られている。
【０００３】
【発明が解決しようとする課題】
従来のファクシミリ装置は、受信原稿やコピー原稿が、用紙の片面にしか印字されず、用紙の節約や書類の整理等の関係で、両面印字が必要な場合には、別途、両面コピーをしなければならないという煩雑さがあった。
【０００４】
本発明の目的は、上述した従来のファクシミリ装置が有する課題を解決することにある。
【０００５】
【課題を解決するための手段】
本発明は、上述した目的を達成するために、第１には、インクリボン上のインクを、サーマルヘッドにより記録紙に熱転写する方式の印字部の下流側に、切替え部材により、選択可能な２つに分岐された記録紙搬送通路を設けるとともに、一方の記録紙搬送通路が、略水平なフレームとトレイ状の受け部材により形成された記録紙排出通路を経て記録紙排出口に通じ、もう一方の記録紙搬送通路が、前記トレイ状の受け部材と記録紙用カセットの蓋とにより形成された一時ストック部に通じており、且つ、前記一時ストック部に入った記録紙を、再度、印字部方向に搬送させる記録紙反転部材を設けたものであり、第２には、２つに分岐された記録紙搬送通路、一時ストック部及び記録紙用カセットを、この順で上下に、接近して配置したものであり、第３には、記録紙反転部材を、記録紙が通過可能な間隙が形成された待機位置と記録紙を挟持する作動位置とに切替可能としたものである。
【０００６】
【実施例】
以下に、本発明のファクシミリ装置の正面図である図１を用いて、本発明の実施例について説明するが、本発明の趣旨を越えない限り何ら、本実施例に限定されるものではない。
【０００７】
１は、筐体Ｃの下部に、取り外し可能に挿着されたカットされた記録紙２が収納された記録紙用カセットである。３は、記録紙用カセット１の奥側付近に配設された、記録紙用カセット１に収納された記録紙２を取り出すためのピックアップローラーであり、４は、ピックアップローラー３に当接するように配設された記録紙分離パッドである。
【０００８】
５は、ピックアップローラー３の上方に配設されたプラテンローラーであり、プラテンローラー５の上部には、１個のサーマルヘッド６が配設されており、サーマルヘッド６とプラテンローラー５により印字部が構成されている。７及び８は、プラテンローラー５及びサーマルヘッド６を挟んで、左右に並設された繰り出し側インクリボンロールと巻き取り側インクリボンロールである。繰り出し側インクリボンロール７から送られたインクリボン９は、適当なガイドピン１０ａ、１０ｂに案内されるとともに、プラテンローラー５とサーマルヘッド６の間を通って、巻き取り側インクリボンロール８に巻き取られる。
【０００９】
ｔ１は、ピックアップローラー３とサーマルヘッド６間に形成された第１記録紙搬送通路である。また、サーマルヘッド６の下流側（便宜的に、記録紙の搬送方向を、下流側と称する。）には、二股に分岐された第２記録紙搬送通路ｔ２と第３記録紙搬送通路ｔ３が形成されており、第２記録紙搬送通路ｔ２と第３記録紙搬送通路ｔ３の分岐点付近には、枢軸１１ａを中心に旋回可能な切替え部材１１が配設されている。切替え部材１１を、図１において、上方の実線の位置に旋回させることにより、第２記録紙搬送通路ｔ２を閉じて、第３記録紙搬送通路ｔ３を開け、また、切替え部材１１を、図１において、下方の点線の位置に旋回させることにより、第３記録紙搬送通路ｔ３を閉じて、第２記録紙搬送通路ｔ２を開けることができるように構成されている。このように切替え部材１１を旋回させることにより、第２記録紙搬送通路ｔ２或いは第３記録紙搬送通路ｔ３に、記録紙を、選択的に、導入することができる。
【００１０】
１２は、第２記録紙搬送通路ｔ２の下流側端部に配設された、一対のローラー１２ａ、１２ｂからなる第１記録紙送り部材であり、第１記録紙送り部材１２に続いて、記録紙排出口１３に通ずる記録紙排出通路ｔ４が形成されている。本実施例においては、筐体Ｃの略水平な中間フレームｃ１と該中間フレームｃ１の下方に配設されたトレイ状の受け部材１４との間に、記録紙排出通路ｔ４が形成されている。１５は、第３記録紙搬送通路ｔ３の下流側端部に配設された、一対のローラー１５ａ、１５ｂからなる第２記録紙送り部材である。
【００１１】
１６は、第２記録紙送り部材１５の下流側に配設された記録紙反転部材であり、軸１６ａに枢支された揺動可能なレバー１６ｂと、該レバー１６ｂの先端に配設された反転ピックアップローラー１６ｃとを有している。１７は、受け部材１４と、略水平状に配設された板状のフレームｃ２との間に形成された、記録紙を一時的にストックするための記録紙の一時ストック部である。なお、上記フレームｃ２は、図１に示されているように、記録紙用カセット１の蓋で兼用することもできる。
【００１２】
ｔ５は、上述した記録紙用カセット１に収納された記録紙２を取り出すためのピックアップローラー３とサーマルヘッド６間に形成された第１記録紙搬送通路ｔ１の中程から分岐した第５記録紙搬送通路であり、第３記録紙搬送通路ｔ３と合流し、一時ストック部１７に連通するように構成されている。
【００１３】
１８は、原稿挿入口であり、原稿挿入口１８から導入された原稿は、原稿分離ローラー１９により、一枚一枚に分離された後、プラテンローラー２０と読取センサ−２１間を通る際に、読取センサ−２１により読み取られ、原稿排出口２２から搬出されるように構成されている。なお、２３は、キー２３ａ等は配設された操作部である。
【００１４】
上述した構成を有するファクシミリ装置において、記録紙用カセット１にセットされている記録紙２の片面のみに、受信原稿やコピー原稿を記録する場合について説明する。
【００１５】
記録紙２の片面のみに記録する際には、切替え部材１１を、図１において、下方の点線の位置に旋回させることにより、第３記録紙搬送通路ｔ３を閉じて、第２記録紙搬送通路ｔ２を開けておく。例えば、ファクシミリ装置が受信され、受信原稿を印字する際には、記録紙用カセット１にセットされた記録紙２が、ピックアップローラー３により搬出され、記録紙２は、第１記録紙搬送通路ｔ１に沿って搬送され、次いで、プラテンローラー５とサーマルヘッド６間に挿入されて、インクリボン９により熱転写印字される。その後、熱転写印字された記録紙は、第２記録紙搬送通路ｔ２を経て、第１記録紙送り部材１２により、記録紙排出通路ｔ４から記録紙排出口１３方向に送られる。このようにして、受信原稿やコピー原稿が、記録紙２の片面のみに記録されることになる。
【００１６】
次に、受信原稿やコピー原稿を、記録紙２の両面に記録する場合について説明する。
【００１７】
記録紙２の両面に記録する際には、切替え部材１１を、図１において、上方の実線の位置に旋回させることにより、第２記録紙搬送通路ｔ２を閉じて、第３記録紙搬送通路ｔ３を開けておく。例えば、ファクシミリ装置が受信され、受信原稿を印字する際には、記録紙用カセット１にセットされた記録紙２が、ピックアップローラー３により搬出され、記録紙２は、第１記録紙搬送通路ｔ１に沿って搬送され、次いで、プラテンローラー５とサーマルヘッド６間に挿入されて、インクリボン９により、記録紙の片面に、原稿が、熱転写印字される。その後、熱転写印字された記録紙は、第３記録紙搬送通路ｔ３を経て、第２記録紙送り部材１５により、一時ストック部１７に入る。この際、記録紙反転部材１６のレバー１６ｂは、図１に示されているように上方の待機位置にあり、従って、反転ピックアップローラー１６ｃと、反転ピックアップローラー１６ｃに対向する板材２４間には、記録紙が通過可能な間隙が形成されている。
【００１８】
次いで、記録紙反転部材１６のレバー１６ｂを、下方の作動位置に回動させて、反転ピックアップローラー１６ｃと板材２４間で、片面に印字が施された記録紙を挟持して、反転ピックアップローラー１６ｃにより、片面に印字が施された記録紙を、第５記録紙搬送通路ｔ５及び第１記録紙搬送通路ｔ１を経て、再度、プラテンローラー５とサーマルヘッド６間に挿入して、インクリボン９により、記録紙のもう一方の面に、原稿を、熱転写印字する。このように、一時ストック部１７に搬入された、片面に印字が施された記録紙は、一時ストック部１７から、第５記録紙搬送通路ｔ５及び第１記録紙搬送通路ｔ１を経て、サーマルヘッド６方向に搬送されることにより反転されるので、記録紙の両面に、印字が施されることになる。
【００１９】
片面が印字された記録紙が、一時ストック部１７に入った後に、切替え部材１１を、図１において、下方の点線の位置に旋回させることにより、第３記録紙搬送通路ｔ３を閉じて、第２記録紙搬送通路ｔ２を開けておく。従って、両面に印字が施された記録紙は、第２記録紙搬送通路ｔ２を経て、第１記録紙送り部材１２により、記録紙排出通路ｔ４から記録紙排出口１３方向に送られる。
【００２０】
なお、上述したように、両面に印字する場合には、一時ストック部１７に入った片面が印字された記録紙は、その後端から印字部に導入されるので、裏面に印字を施す際には、メモリされた画データの最終部分から、印字することが好ましい。
【００２１】
上述した実施例においては、第２記録紙搬送通路ｔ２と第３記録紙搬送通路ｔ３、一時ストック部１７及び記録紙用カセット１を、この順序で、上下に接近させて配置したので、ファクシミリ装置のコンパクト化が実現できる。
【００２２】
更に、印字部を、インクリボン９上のインクを、サーマルヘッド６により、記録紙に熱転写する方式としたので、普通紙タイプでありながら、コンパクトな構成で、両面印字が可能なファクシミリ装置が実現できる。
【００２３】
【発明の効果】
本発明は、以上説明した構成を有しているので、以下に記載する効果を奏するものである。
【００２４】
必要に応じて、受信原稿或いはコピー原稿を、記録紙に両面印字することができる。
【００２５】
２つに分岐された記録紙搬送通路、一時ストック部及び記録紙用カセットを、この順で上下に、接近して配置したので、ファクシミリ装置のコンパクト化が実現できる。
【００２６】
印字部が、インクリボン上のインクを、サーマルヘッドにより記録紙に熱転写するものであるので、普通紙タイプでありながら、コンパクトな構成で、両面印字が可能なファクシミリ装置が実現できる。
【図面の簡単な説明】
【図１】図１は本発明のファクシミリ装置の一部断面を含む正面図である。
【符号の説明】
１・・・・・・記録紙用カセット
３・・・・・・ピックアップローラー
６・・・・・・サーマルヘッド
７・・・・・・繰り出し側インクリボンロール
８・・・・・・巻き取り側インクリボンロール
１１・・・・・切替え部材
１２・・・・・第１記録紙送り部材
１３・・・・・記録紙搬出口
１５・・・・・第２記録紙送り部材
１６・・・・・記録紙反転部材
１７・・・・・一時ストック部
【図１】
0003610733.tif 000002